(57)【要約】【課題】撮影に関する設定として選択可能な全ての設定値と、目的とする設定値を選択するための操作を、ユーザが直感的に確認することができるようにする。【解決手段】トグルボタンが押されたとき、近接撮影のモードの１つである「マクロモード」（設定値）を表す画像である画像５１、「拡大鏡モード」（設定値）を表す画像である画像５２、および、近接撮影モードのOFF（設定値）を表す画像である画像５３が、トグルボタンを押す毎に注目される順に並べて表示される。画像５１乃至５３のそれぞれの間には、トグルボタンを押す毎に注目される順序を表す白抜き矢印も表示される。ユーザによりトグルボタンが１回押されたとき、全ての画像の表示位置が切り替えられ、これにより、注目される画像も切り替えられる。本発明は、撮影機能を有する機器に適用することができる。【選択図】図３
2007202016.tif 000002
【特許請求の範囲】
【請求項１】
撮影に関する設定を行うときに操作されるボタンが設けられた撮影装置において、
前記ボタンが押されたとき、選択可能な全ての設定値を表す画像が前記ボタンを押す毎に選択することができる順に並べて表示されるメニューを表示させるとともに、前記ボタンが押される毎に、前記メニューに並べて表示させている全ての前記画像の表示位置を切り替えることによって、注目される前記画像を切り替える表示制御手段を備える
撮影装置。
【請求項２】
前記表示制御手段は、さらに、注目されている前記画像により表される設定値の説明を文章によって前記メニュー上に表示させる
請求項１に記載の撮影装置。
【請求項３】
前記表示制御手段は、前記設定値の説明となる文章を、前記ボタンが押されてから所定の時間が経過したときに表示させる
請求項２に記載の撮影装置。
【請求項４】
前記表示制御手段は、さらに、並べて表示される前記画像間に、前記ボタンを押す毎に注目される順序を表す矢印を表示させる
請求項１に記載の撮影装置。
【請求項５】
前記表示制御手段は、さらに、ユーザにより選択されたモードに応じて、選択可能な設定値を表す画像として異なる画像を前記メニューに並べて表示させる
請求項１に記載の撮影装置。
【請求項６】
撮影に関する設定を切り替え可能なボタンが設けられた撮影装置の表示制御方法において、
前記ボタンが押されたとき、選択可能な全ての設定値を表す画像が前記ボタンを押す毎に選択することができる順に並べて表示されるメニューを表示させるとともに、前記ボタンが押される毎に、前記メニューに並べて表示させている全ての前記画像の表示位置を切り替えることによって、注目される前記画像を切り替えるステップを含む
表示制御方法。
【請求項７】
撮影に関する設定を切り替え可能なボタンが設けられた撮影装置の表示制御処理をコンピュータに実行させるプログラムにおいて、
前記ボタンが押されたとき、選択可能な全ての設定値を表す画像が前記ボタンを押す毎に選択することができる順に並べて表示されるメニューを表示させるとともに、前記ボタンが押される毎に、前記メニューに並べて表示させている全ての前記画像の表示位置を切り替えることによって、注目される前記画像を切り替えるステップを含む
プログラム。
【発明の詳細な説明】
【技術分野】
【０００１】
本発明は、撮影装置、表示制御方法、並びにプログラムに関し、特に、撮影に関する設定として選択可能な全ての設定値と、目的とする設定値を選択するための操作を、ユーザが直感的に確認することができるようにした撮影装置、表示制御方法、並びにプログラムに関する。
【背景技術】
【０００２】
従来、ディジタルカメラなどの機器において、ユーザにとってより見やすく、その設定情報を表示するための技術が各種提案されている。
【０００３】
例えば、特許文献１には、機器の設定情報をアイコン化して画面上に複数表示し、適宜、そのアイコンを拡大して表示したり、あるいは、設定の内容を表す設定値を文字によって表示したりする技術が開示されている。
【特許文献１】特開平４−２８１４３８号公報
【発明の開示】
【発明が解決しようとする課題】
【０００４】
従来のディジタルカメラなどの機器においては、機器の表面にハードウエア的に設けられるボタン（トグルボタン）を押すことによって各種の設定を変更することができるようになされているが、ボタンを実際に何回も押してみないと設定可能な設定値をユーザが知ることができないことが多い。
【０００５】
また、押す回数などの、ボタンをどのように操作することによってその設定を所望の値に変更することができるのかがユーザにとって分かりにくい。
【０００６】
本発明はこのような状況に鑑みてなされたものであり、撮影に関する設定として選択可能な全ての設定値と、目的とする設定値を選択するための操作を、ユーザが直感的に確認することができるようにするものである。
【課題を解決するための手段】
【０００７】
本発明の一側面の撮影装置は、撮影に関する設定を行うときに操作されるボタンが設けられた撮影装置において、前記ボタンが押されたとき、選択可能な全ての設定値を表す画像が前記ボタンを押す毎に選択することができる順に並べて表示されるメニューを表示させるとともに、前記ボタンが押される毎に、前記メニューに並べて表示させている全ての前記画像の表示位置を切り替えることによって、注目される前記画像を切り替える表示制御手段を備える。
【０００８】
前記表示制御手段には、さらに、注目されている前記画像により表される設定値の説明を文章によって前記メニュー上に表示させることができる。
【０００９】
前記表示制御手段には、前記設定値の説明となる文章を、前記ボタンが押されてから所定の時間が経過したときに表示させることができる。
【００１０】
前記表示制御手段には、さらに、並べて表示される前記画像間に、前記ボタンを押す毎に注目される順序を表す矢印を表示させることができる。
【００１１】
前記表示制御手段には、さらに、ユーザにより選択されたモードに応じて、選択可能な設定値を表す画像として異なる画像を前記メニューに並べて表示させることができる。
【００１２】
本発明の一側面の表示制御方法は、撮影に関する設定を切り替え可能なボタンが設けられた撮影装置の表示制御方法において、前記ボタンが押されたとき、選択可能な全ての設定値を表す画像が前記ボタンを押す毎に選択することができる順に並べて表示されるメニューを表示させるとともに、前記ボタンが押される毎に、前記メニューに並べて表示させている全ての前記画像の表示位置を切り替えることによって、注目される前記画像を切り替えるステップを含む。
【００１３】
本発明の一側面のプログラムは、撮影に関する設定を切り替え可能なボタンが設けられた撮影装置の表示制御処理をコンピュータに実行させるプログラムにおいて、前記ボタンが押されたとき、選択可能な全ての設定値を表す画像が前記ボタンを押す毎に選択することができる順に並べて表示されるメニューを表示させるとともに、前記ボタンが押される毎に、前記メニューに並べて表示させている全ての前記画像の表示位置を切り替えることによって、注目される前記画像を切り替えるステップを含む。
【００１４】
本発明の一側面においては、ボタンが押されたとき、選択可能な全ての設定値を表す画像がボタンを押す毎に選択することができる順に並べて表示されるメニューが表示されるとともに、ボタンが押される毎に、メニューに並べて表示されている全ての画像の表示位置が切り替えられることによって、注目される画像が切り替えられる。
【発明の効果】
【００１５】
本発明の一側面によれば、撮影に関する設定として選択可能な全ての設定値と、目的とする設定値を選択するための操作を、ユーザは直感的に確認することができる。
【発明を実施するための最良の形態】
【００１６】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００１７】
本発明の一側面の撮影装置（例えば、図１のディジタルカメラ１）は、撮影に関する設定を行うときに操作されるボタンが設けられた撮影装置において、前記ボタンが押されたとき、選択可能な全ての設定値を表す画像が前記ボタンを押す毎に選択することができる順に並べて表示されるメニューを表示させるとともに、前記ボタンが押される毎に、前記メニューに並べて表示させている全ての前記画像の表示位置を切り替えることによって、注目される前記画像を切り替える表示制御手段（例えば、図５の映像信号生成処理部８３）を備える。
【００１８】
本発明の一側面の表示制御方法またはプログラムは、ボタンが押されたとき、選択可能な全ての設定値を表す画像が前記ボタンを押す毎に選択することができる順に並べて表示されるメニューを表示させるとともに、前記ボタンが押される毎に、前記メニューに並べて表示させている全ての前記画像の表示位置を切り替えることによって、注目される前記画像を切り替えるステップ（例えば、図６のステップＳ２）を含む。
【００１９】
以下、本発明の実施の形態について図を参照して説明する。
【００２０】
図１および図２は、本発明の一実施形態に係る撮影装置としてのディジタルカメラ１の外観構成の例を示す図である。
【００２１】
図１および図２において、対応する部分には同じ符号を付してある。なお、以下においては、本発明をディジタルカメラに適用した場合について説明するが、撮影機能を有する各種の機器に適用することも可能である。
【００２２】
図１はディジタルカメラ１の正面（被写体から見た面）の外観を示し、図２は背面（撮影者から見た面）の外観を示す。
【００２３】
図１に示されるように、ディジタルカメラ１の本体１１の上面には、被写体側から見て左側にシャッタボタン（レリーズボタン）１２が設けられ、ほぼ中央に、電源のオン／オフを切り替えるときに操作される電源切り替えボタン１３が設けられる。
【００２４】
また、本体１１の正面上方にはフラッシュ照射部１４が設けられ、右方には撮像レンズ１５が設けられる。ディジタルカメラ１に設けられる撮像レンズ１５は沈胴式のレンズとなっており、電源切り替えボタン１３が操作されて電源がオンとなり、撮影を行うモードが選択されているとき、撮像レンズ１５は本体１１の表面から突出した状態になる。
【００２５】
図２に示されるように、ディジタルカメラ１の本体１１の背面には、撮影者側から見て左側に、撮影に関する設定を行うときに操作されるトグルボタン２２が設けられる。後述するように、このトグルボタン２２を押すことによって、例えば、近接撮影のモードを「マクロモード」と「拡大鏡モード」の中から選択することができるメニューが液晶ディスプレイパネル２１に表示される。
【００２６】
本体１１の背面には、その広い範囲に渡って液晶ディスプレイパネル２１（以下、LCD(Liquid Crystal Display)パネル２１という）が設けられている。LCDパネル２１には、上述したメニューの他、撮影済みの画像などもユーザの操作に応じて表示される。
【００２７】
LCDパネル２１の右方には、各種の操作を行うときに操作されるボタンが設けられている。図２の例においては、上から、撮像範囲のズーム／テレを調整するときに操作されるズームボタン２３（“−”ズームダウン、“＋”ズームアップ）、撮影済みの画像を再生するときに操作される撮影画像再生ボタン２４、LCDパネル２１に表示されているカーソルを移動させたり、閲覧する画像を切り替えたりするときに操作される上下左右ボタンと、項目を決定するときに操作される決定ボタンからなるカーソル指示ボタン２５が設けられている。カーソル指示ボタン２５の左右には、メニュー画面をLCDパネル２１に表示させるときに操作されるメニューボタン２６、LCDパネル２１の表示を切り替えるときに操作されるLCDパネル表示切り替えボタン２７がそれぞれ設けられている。メニューボタン２６が押されたときに表示されるメニュー画面には、例えば、画像の記録先を設定したり、記録される画像の画質を設定したりするときに選択される項目が表示される。
【００２８】
図３は、LCDパネル２１に表示される画面の例を示す図である。
【００２９】
トグルボタン２２が１回だけ押されたとき、LCDパネル２１には、図３に示されるように、そのとき取り込まれている画像に重ねてメニュー４１が表示される。このメニュー４１は、メニューボタン２６が押されたときにLCDパネル２１に表示されるメニューとは異なり、近接撮影のモードを切り替えるために用いられるメニューである。
【００３０】
図３の例においては、近接撮影のモードの１つである上述した「マクロモード」（設定値）を表す画像である画像５１、近接撮影モードのOFF（設定値）を表す画像（通常撮影を表す画像）である画像５２、および、「拡大鏡モード」（設定値）を表す画像である画像５３がメニュー４１に表示されている。
【００３１】
ここで、「マクロモード」は、オートフォーカス機能によってフォーカスを合わせることができない程近い位置にある被写体を撮影するためのモードであり、オートフォーカス機能の合焦範囲と異なる合焦範囲で撮影が行われるように設定される。撮像レンズ１５を構成するレンズの性能によって異なるが、例えば、通常のオートフォーカス機能の合焦範囲が０．５ｍ〜∞であるのに対し、マクロモードの合焦範囲は、ワイド端時には約０．０８ｍ〜∞、テレ端時には約０．２５ｍ〜∞となる。オートフォーカス機能の合焦範囲は、その範囲であれば、ユーザによりシャッタボタンが半押しされてから（撮影が動作が開始されてから）短い時間でフォーカスを合わせることができる範囲として設定される（マクロモードを設定した場合、フォーカスを合わせるのに時間はかかるが、近い被写体を撮影できるようになる）。
【００３２】
「拡大鏡モード」は、マクロモードよりも近い位置にある被写体を撮影するためのモードであり、焦点距離はワイド端で固定され、約０．０１ｍ〜０．２ｍの合焦範囲で撮影が行われるように設定される。
【００３３】
画像５１乃至５３は、トグルボタン２２を押す毎に注目される順に並べて表示されており、図３の例においては、カーソル５４で囲まれることによって注目されている（強調表示されている）画像５１を中心に、その右側に画像５２が、その左側に画像５３がそれぞれ表示されている。
【００３４】
画像５１乃至５３のそれぞれの間には、トグルボタン２２を押す毎に注目される順序を表す白抜き矢印が表示されており、画像５１と画像５２の間には、画像５１に注目されているいまの状態でトグルボタン２２を１回押すことによって画像５２が次に注目されることを表す右向きの矢印が表示されている。
【００３５】
画像５２と画像５３の間には、画像５２に注目されている状態でトグルボタン２２を１回押すことによって画像５３が次に注目される状態になること、すなわち、画像５１に注目されているいまの状態でトグルボタン２２を２回押すことによって画像５３が注目される状態になることを表す左向きの矢印が表示されている。
【００３６】
画像５３と画像５１の間には、画像５３に注目されている状態でトグルボタン２２を１回押すことによって画像５１が次に注目される状態になること、すなわち、画像５１に注目されているいまの状態でトグルボタン２２を３回押すことによって画像５１が再度注目される状態になることを表す右向きの矢印が表示されている。
【００３７】
このような画像５１乃至５３が表示されている状態でユーザがトグルボタン２２を１回押したとき、画像５１の表示位置は、図３において画像５３が表示されている位置となり、画像５２の表示位置は、図３において画像５１が表示されている位置となる。また、画像５３の表示位置は、図３において画像５２が表示されている位置となる。すなわち、注目される画像が、並べて表示される全ての画像の中央の位置に表示されるように、注目される画像の位置を基準として全ての画像の表示位置が動的に切り替えられる。
【００３８】
画像の表示位置が切り替えられるのではなく、トグルボタン２２が押されることに応じてカーソル５４だけが移動し、それによって、注目される画像が切り替えられるようにしてもよい。
【００３９】
このように、トグルボタン２２が押されたとき、選択可能な全ての設定値を表す画像（設定値リスト）が並べて表示されるから、ユーザは、メニュー４１が表示されずに、ボタンを押す毎に画像５１乃至５３が１つずつLCDパネル２１の所定の位置に順次表示される場合に較べて、トグルボタン２２を連続して押すことなく、選択することのできる設定値を直感的に、かつ、その全てを一目で、確認することができる。
【００４０】
また、それぞれの画像の間には、注目される順序（トグル順序）を表す矢印が表示されるから、ユーザは、トグルボタン２２をあと何回押すことで目的とする設定値を選択することができるのかを直感的に確認することができる。ユーザは、例えば、「マクロモード」が選択されている図３の状態でトグルボタン２２を１回押すことによって近接撮影モードのOFFを選択することができることを直感的に確認することができ、トグルボタン２２を２回押すことによって「拡大鏡モード」を選択することができることを確認することができる。
【００４１】
メニュー４１上には、注目されている画像により表される設定値の説明も文章によって表示される。例えば、画像５１が注目されているとき、「マクロモードを設定することができます。」の文章が表示され、画像５２が注目されているとき、「近接撮影モードのOFFを設定することができます。」の文章が表示される。また、画像５３が注目されているとき、「拡大鏡モードを設定することができます。」の文章が表示される。それぞれのモードを選択したときの効果などのように、設定値の詳細な説明が文章によって表示されるようにしてもよい。
【００４２】
このような文章は、例えば、トグルボタン２２が押されることによって画像５１乃至５３の表示位置の切り替えが行われている間は表示されずに、トグルボタン２２が最後に押されたタイミングを基準として、トグルボタン２２が押されない時間が２秒などの所定の時間だけ経過したときに表示される。仮に、トグルボタン２２が押された直後に、新たに選択された設定値の説明の文章が表示されるとした場合、ユーザがトグルボタン２２を高速に連続して押したときには文章の表示が次々と切り替わり、文章の表示がちらついてしまうことになるが、そのようなことを防止することができる。
【００４３】
このように、注目している画像により表される設定値の説明が文章によって表示されるから、ユーザは、メニュー４１に並べて表示されているそれぞれの画像がどのような設定値を表すものであるのかを覚えておく必要がない。表示されている画像がどのような設定値を表すものであるのかが分からないといったことはよくあることであり、このようなことが防止されることになる。
【００４４】
図３の例においては、画像５１が選択された状態で所定の決定操作が行われたときの説明として「マクロモードに設定しました。」の文章がメニュー４１上に表示されている。設定値の決定は、例えば、短い間隔でトグルボタン２２を２回連続して押すことによって行われるようにしてもよいし、カーソル指示ボタン２５を構成する決定ボタンを押すことによって行われるようにしてもよい。また、所定の画像に注目した状態でトグルボタン２２が押されない時間が所定の時間だけ経過したときにユーザによる操作によらずに自動的に行われるようにしてもよい。
【００４５】
所定の設定値が決定されたときメニュー４１の表示は消され、ユーザは、決定した設定値の設定で撮影を行うことができる。なお、トグルボタン２２が押されない状態が５秒などの所定の時間が経過したときや、トグルボタン２２以外のボタンが押されたときもメニュー４１の表示は消され、LCDパネル２１には、取り込み画像や、押された他のボタンに応じた画面が表示される。
【００４６】
図４は、図３のメニュー４１から「マクロモード」が選択されたときにLCDパネル２１に表示される画面の例を示す図である。
【００４７】
図４の例においては、取り込まれている画像がLCDパネル２１の全体に表示されている。また、LCDパネル２１の右下方には画像６１乃至６３が表示されている。画像６１は、近接撮影のモードがマクロモードとして選択されていることを表し、画像６２は、撮影時のフラッシュに関するモードを表す画像である。画像６３は、撮影時のタイマの設定を表す画像である。LCDパネル２１の上方や下方には、LCDパネル２１の縁に沿って、撮影に関する各種の設定を表す画像、文字、数字なども表示される。
【００４８】
以上のような表示を行うディジタルカメラ１の処理についてはフローチャートを参照して後述する。
【００４９】
図５はディジタルカメラ１の電気的な構成例を示すブロック図である。
【００５０】
CCD(Charge Coupled Device)などよりなる撮像素子７１は、撮像レンズ１５を介して入射する被写体からの光を受光して光電変換を行い、（光の）受光量に応じた電気信号としてのアナログの画像信号をアナログ信号処理部７２に出力する。
【００５１】
アナログ信号処理部７２は、撮像素子７１からのアナログの画像信号の増幅、ガンマ補正、ホワイトバランス調整などのアナログ信号処理を行い、そのアナログ信号処理の結果得られる画像信号をA/D(Analog/Digital)変換部７３に出力する。
【００５２】
A/D変換部７３は、アナログ信号処理部７２からのアナログの画像信号をA/D変換し、その結果得られるディジタルの画像データをディジタル信号処理部７４に出力する。
【００５３】
ディジタル信号処理部７４は、制御バス７７を介して行われるCPU(Central Processing Unit)７９による制御に従って、A/D変換部７３からの画像データに対し、ノイズ除去処理等のディジタル信号処理を施す。ディジタル信号処理部７４は、取り込まれた画像をLCDパネル２１に表示させるとき、ディジタル信号処理を施すことによって得られたデータを制御バス７７を介して映像信号生成処理部８３に出力する。
【００５４】
また、ディジタル信号処理部７４は、画像を記録するとき（ユーザにより撮影が指示されたとき）、A/D変換部７３からの画像データを、例えば、JPEG(Joint Photographic Experts Group)方式等で圧縮し、その結果得られる圧縮画像データを、制御バス７７を介してI/O制御部７５に出力してメモリカード７６に記録させる。
【００５５】
I/O制御部７５は、画像データを記録するとき、ディジタル信号処理部７４から制御バス７７を介して供給されたデータ（圧縮画像データ）を、本体１１の所定の位置に形成されたスロットに挿入されているメモリカード７６に記録させる。また、I/O制御部７５は、メモリカード７６に記録されている画像データに基づいて画像を表示したり、画像データをパーソナルコンピュータなどに転送するとき、メモリカード７６に記録されているデータを読み出し、それを制御バス７７上に出力する。
【００５６】
操作入力部７８は、本体１１に設けられる各種のボタンに対するユーザの操作を検出し、ユーザの操作に対応する信号をCPU７９に出力する。トグルボタン２２に対するユーザの操作も、この操作入力部７８により検出される。
【００５７】
CPU７９は、フラッシュメモリに記録されているプログラムをプログラムRAM(Random Access Memory)８０に展開して実行することにより、ディジタルカメラ１を構成する各部を制御し、また、操作入力部７８からの信号に応じて各種の処理を行う。CPU７９により、例えば、撮影のための絞りや撮像レンズ１５のズームの調整、露出時間の制御などの撮影処理や、メニューの表示の制御などが行われる。
【００５８】
プログラムRAM８０は、CPU７９が実行するプログラムや、CPU７９がプログラムを実行する上で必要なデータを一時的に記憶する。
【００５９】
画像RAM８１は、例えば、画像データを記録するときの圧縮処理や、メモリカード７６に記録されている圧縮画像データに基づいて画像を表示するときの伸張処理に用いられる。
【００６０】
フラッシュメモリ８２は、CPU７９が実行するプログラムや、ディジタルカメラ１に設定された各種の情報その他の、ディジタルカメラ１の電源がオフにされたときも保持しておく必要があるデータ等を記憶する。
【００６１】
映像信号生成処理部８３は、メモリカード７６からI/O制御部７５により読み出され、制御バス７７を介して供給された圧縮画像データや、撮像レンズ１５により取り込まれ、ディジタル信号処理部７４から制御バス７７を介して供給された画像データに基づいて映像信号を生成し、生成した映像信号に基づいてLCDパネル２１に画像を表示させる。また、映像信号生成処理部８３は、CPU７９による制御にしたがって、LCDパネル２１に表示させているメニューの表示の切り替えなどを行う。
【００６２】
ここで、図６のフローチャートを参照して、上述したような画面の表示を制御するディジタルカメラ１の処理について説明する。この処理は、例えば、撮影を行うモードが選択され、取り込まれている画像がLCDパネル２１に表示されているときに開始される。
【００６３】
ステップＳ１において、CPU７９は、操作入力部７８から供給された信号に基づいて、ユーザによりトグルボタン２２が押されたか否かを判定し、押されたと判定するまで待機する。
【００６４】
CPU７９は、ステップＳ１において、トグルボタン２２が押されたと判定した場合、ステップＳ２に進み、制御バス７７を介して映像信号生成処理部８３を制御することによって、選択可能な全ての設定値を表す画像が表示される、図３に示されるようなメニュー４１をLCDパネル２１に表示させる。
【００６５】
例えば、撮影モードなどのディジタルカメラ１の状態と、それぞれの状態のときに選択可能な設定値との対応関係を表すテーブルがCPU７９により管理されており、トグルボタン２２が押されたときの状態において選択可能な設定値を表す情報がCPU７９から映像信号生成処理部８３に出力される。映像信号生成処理部８３においては、CPU７９から供給された情報により指定される設定値を表す画像を並べて表示させることが行われ、これにより、図３に示されるようなメニュー４１の表示が実現される。
【００６６】
ステップＳ３において、CPU７９は、トグルボタン２２が押されたか否かを判定し、押されたと判定した場合、ステップＳ４に進む。
【００６７】
ステップＳ４において、CPU７９は、映像信号生成処理部８３を制御し、メニュー４１に表示されている全ての画像の表示位置を切り替えさせることによって、注目する画像を切り替え、ステップＳ５に進む。ステップＳ３においてトグルボタン２２が押されていないと判定された場合、このステップＳ４はスキップされ、処理はステップＳ５に進む。
【００６８】
ステップＳ５において、CPU７９は、メニュー４１の表示を終了するか否かを判定する。上述したように、例えば、メニュー４１に画像が表示されている設定値の中から所定の設定値が決定されたとき、あるいは、トグルボタン２２以外のボタンが押されたとき、メニュー４１の表示を終了するものとしてCPU７９により判定される。
【００６９】
CPU７９は、ステップＳ５において、メニュー４１の表示を終了しないと判定した場合、ステップＳ３に戻りそれ以降の処理を繰り返し実行し、一方、メニュー４１の表示を終了すると判定した場合、処理を終了させる。
【００７０】
以上の処理により、上述したようなメニュー４１の表示が制御される。
【００７１】
以上においては、近接撮影のモードを設定するための表示について説明したが、撮影に関する他の設定を行うためにメニュー４１が用いられるようにしてもよい。
【００７２】
図７Ａ乃至Ｃおよび図８Ａ乃至Ｃは、フラッシュの設定に用いられるメニュー４１の表示の例を示す図である。
【００７３】
図７Ａ乃至Ｃ、図８Ａ乃至Ｃに示されるメニュー４１は、例えば、トグルボタン２２と同様に、フラッシュの設定用のものとしてハードウエア的に用意されたボタンが押されたときに表示される。また、トグルボタン２２がフラッシュの設定を行うためのボタンとして設定されている場合、そのような設定が行われているトグルボタン２２が押されたときに表示される。このように、トグルボタン２２に割り当てられる機能をユーザが自ら変更することができるようにしてもよい。
【００７４】
ここでは、例えば、トグルボタン２２が、フラッシュの設定を行うためのボタンとしてその機能が変更されているものとして説明する。
【００７５】
フラッシュの設定値としては、例えば、「強制発光モード」、「発光禁止モード」、「スローシンクロモード」、「オート」の４つのモードがディジタルカメラ１には用意されている。
【００７６】
「強制発光モード」は、光量が不足しているか否かにかかわらず、撮影のタイミングにあわせてフラッシュを強制的に発光させるモードであり、「発光禁止モード」は、光量が不足しているか否かにかかわらず、フラッシュの発光を強制的に禁止させるモードである。「スローシンクロモード」は、シャッタースピードを遅めにしつつ、フラッシュを発光させて撮影を行うモードであり、「オート」は、測光された光量に基づいて光量が不足しているとディジタルカメラ１により判断されたときには撮影のタイミングにあわせてフラッシュが発光され、足りていると判断されたときにはフラッシュが発光されないモードである。
【００７７】
ディジタルカメラ１においては、ユーザにより選択されている撮影モードなどに応じて、４つの設定値のうちの所定のものが選択可能なフラッシュの設定値として選択され、その設定値を表す画像がメニュー４１に表示されるようになされている。したがって、メニュー４１に表示される設定値の内容が、ユーザにより選択されている撮影モードなどに応じて切り替えられることになる。
【００７８】
撮影モードとしては、ディジタルカメラ１により自動的にシャッタースピードや絞りなどが設定される「オート」、動画の撮影を行うときに設定される「ムービー」、シャッタースピードや絞りなどをユーザが自ら調整する「マニュアル」、「シーンセレクション」が用意される。
【００７９】
なお、「シーンセレクション」とは、被写体の条件に適した絞り、シャッタースピードなどによって撮影が行われるようにするときに選択されるものであり、例えば、「夜景」、「花火」、「夜景＋人物」などがディジタルカメラ１にはあらかじめ用意される。
【００８０】
「夜景」は、暗さの雰囲気を損なわないように夜景を撮影するためのモードであり、例えば、シャッタースピードを遅めとして、かつ、フラッシュの発光を禁止した状態で撮影が行われるように設定される。
【００８１】
「花火」は、打ち上げ花火などを撮影するためのモードであり、例えば、合焦範囲を無限遠、絞りを開放気味、シャッタースピードを遅めとし、かつ、フラッシュの発光を禁止した状態で撮影が行われるように設定される。
【００８２】
「夜景＋人物」は、夜景と背景として人物を撮影するためのモードであり、例えば、シャッタースピードを遅めとして、かつ、フラッシュを強制的に発光させた状態で撮影が行われるように設定される。
【００８３】
図７Ａは、撮影モードとして「オート」が選択されているときのメニュー４１の表示例を示す図である。
【００８４】
撮影モードとして「オート」が選択されているとき、トグルボタン２２を押したときに表示されるメニュー４１には、「強制発光モード」（設定値）を表す画像である画像９１、「発光禁止モード」（設定値）を表す画像である画像９２、「スローシンクロモード」（設定値）を表す画像である画像９３、および、「オート」（設定値）を表す画像である画像９４が、トグルボタン２２を押す毎に注目される順に並べて表示される。図７Ａの例においてはカーソル９５により囲まれる形で画像９３が注目されている。
【００８５】
ユーザによりトグルボタン２２が押される毎に、画像９１乃至９４の表示位置はそれぞれ切り替えられ、それとともに注目する画像も切り替えられる。
【００８６】
例えば、図７Ａの状態でユーザがトグルボタン２２を１回押したとき、画像９１の表示位置は、図７Ａにおいて画像９４が表示されている位置となり、画像９２の表示位置は、図７Ａにおいて画像９１が表示されている位置となる。また、画像９３の表示位置は、図７Ａにおいて画像９２が表示されている位置となり、画像９４の表示位置は、図７Ａにおいて画像９３が表示されている位置となる。すなわち、図３のメニュー４１の場合と同様に、注目する画像の位置を基準として全ての画像の表示位置が切り替えられ、これにより、注目する画像は画像９４になる。
【００８７】
このような表示から、ユーザは、撮影モードとして「オート」を選択しているときには、「強制発光モード」、「発光禁止モード」、「スローシンクロモード」、「オート」の４つの中から所定のフラッシュのモード（設定値）を選択することができることを直感的に、かつ、その全てを一目で、確認することができる。
【００８８】
また、ユーザは、「スローシンクロモード」が選択されている図７Ａの状態でトグルボタン２２を何回押すことによって目的とするモードを選択することができるのかを直感的に確認することができる。
【００８９】
図７Ｂは、撮影モードとして「ムービー」が選択されているときのメニュー４１の表示例を示す図である。
【００９０】
撮影モードとして「ムービー」が選択されているとき、フラッシュのモードは「発光禁止モード」となり、図７Ｂに示されるように、それを表す画像９２だけがトグルボタン２２を押したときに表示されるメニュー４１には表示される。
【００９１】
このような表示から、ユーザは、撮影モードとして「ムービー」を選択しているときにはフラッシュのモードとして「発光禁止モード」を選択することができること、すなわち、「発光禁止モード」しか選択することができないことを確認することができる。
【００９２】
図７Ｃは、撮影モードとして「マニュアル」が選択されているときのメニュー４１の表示例を示す図である。
【００９３】
撮影モードとして「マニュアル」が選択されているとき、トグルボタン２２を押したときに表示されるメニュー４１には、「強制発光モード」を表す画像である画像９１と、「発光禁止モード」を表す画像である画像９２が、トグルボタン２２を押す毎に注目される順に並べて表示される。図７Ｃの例においてはカーソル９５により囲まれる形で画像９２が注目されている。
【００９４】
ユーザによりトグルボタン２２が押される毎に、画像９１および９２の表示位置はそれぞれ切り替えられ、それとともに注目する画像も切り替えられる。
【００９５】
例えば、図７Ｃの状態でユーザがトグルボタン２２を１回押したとき、画像９１の表示位置は、図７Ｃにおいて画像９２が表示されている位置となり、画像９２の表示位置は、図７Ｃにおいて画像９１が表示されている位置となる。
【００９６】
このような表示から、ユーザは、撮影モードとして「マニュアル」を選択しているときには、「強制発光モード」と「発光禁止モード」の２つの中から所定のフラッシュのモードを選択することができることを直感的に、かつ、その全てを一目で、確認することができる。
【００９７】
また、ユーザは、「発光禁止モード」が選択されている図７Ｃの状態でトグルボタン２２を何回押すことによって目的とするモードを選択することができるのかを直感的に確認することができる。
【００９８】
図８Ａは、撮影モードとして「シーンセレクション」が選択され、その中から「夜景」が選択されているときのメニュー４１の表示例を示す図である。
【００９９】
撮影モードとして「シーンセレクション」が選択され、その中から「夜景」が選択されているとき、フラッシュのモードは「発光禁止モード」となり、図８Ａに示されるように、それを表す画像９２だけがトグルボタン２２を押したときに表示されるメニュー４１には表示される。
【０１００】
このような表示から、ユーザは、撮影モードとして「シーンセレクション」を選択し、その中から「夜景」を選択しているときには、フラッシュのモードとして「発光禁止モード」を選択することができること、すなわち、「発光禁止モード」しか選択することができないことを確認することができる。
【０１０１】
図８Ｂは、撮影モードとして「シーンセレクション」が選択され、その中から「花火」が選択されているときのメニュー４１の表示例を示す図である。
【０１０２】
撮影モードとして「シーンセレクション」が選択され、その中から「花火」が選択されているとき、フラッシュのモードは「発光禁止モード」となり、図８Ｂに示されるように、それを表す画像９２だけがトグルボタン２２を押したときに表示されるメニュー４１には表示される。また、図８Ｂの例においては、画像９２の下には「花火なので発光禁止です。」の文章が表示されている。
【０１０３】
このような表示から、ユーザは、撮影モードとして「シーンセレクション」を選択し、その中から「花火」を選択しているときには、フラッシュのモードとして「発光禁止モード」を選択することができること、すなわち、「発光禁止モード」しか選択することができないことを確認することができる。
【０１０４】
また、ユーザは、「花火なので発光禁止です。」の文章から、「発光禁止モード」しか選択することができない理由を確認することができる。このように、選択することができるモードの説明がメニュー４１に表示されるようにしてもよい。
【０１０５】
図８Ｃは、撮影モードとして「シーンセレクション」が選択され、その中から「夜景＋人物」が選択されているときのメニュー４１の表示例を示す図である。
【０１０６】
撮影モードとして「シーンセレクション」が選択され、その中から「夜景＋人物」が選択されているとき、フラッシュのモードは「スローシンクロモード」となり、図８Ｃに示されるように、それを表す画像９３だけがトグルボタン２２を押したときに表示されるメニュー４１には表示される。
【０１０７】
このような表示から、ユーザは、撮影モードとして「シーンセレクション」を選択し、その中から「夜景＋人物」を選択しているときには、フラッシュのモードとして「スローシンクロモード」を選択することができること、すなわち、「スローシンクロモード」しか選択することができないことを確認することができる。
【０１０８】
このように、トグルボタン２２を押したときに表示されるメニュー４１において、ISO感度の設定、露出の設定などのように、撮影に関する様々な設定をユーザが行うことができるようにしてもよい。例えば、ISO感度の設定を行う場合、メニュー４１には、感度を表す数字を表示する画像がボタンを押す毎に選択される順に並べて表示される。また、露出の設定を行う場合、メニュー４１には、＋方向、−方向の補正量を表す数字を表示する画像がボタンを押す毎に選択される順に並べて表示される。
【０１０９】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１１０】
図９は、上述した一連の処理をプログラムにより実行するパーソナルコンピュータの構成の例を示すブロック図である。
【０１１１】
CPU(Central Processing Unit)１０１は、ROM(Read Only Memory)１０２、または記憶部１０８に記憶されているプログラムに従って各種の処理を実行する。RAM(Random Access Memory)１０３には、CPU１０１が実行するプログラムやデータなどが適宜記憶される。これらのCPU１０１、ROM１０２、およびRAM１０３は、バス１０４により相互に接続されている。
【０１１２】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０１１３】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【０１１４】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【０１１５】
コンピュータにインストールされ、コンピュータによって実行可能な状態とされるプログラムを格納するプログラム記録媒体は、図９に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインターフェースである通信部１０９を介して、ローカルエリアネットワーク、インターネット、ディジタル衛星放送といった、有線または無線の通信媒体を利用して行われる。
【０１１６】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０１１７】
【図１】本発明の一実施形態に係るディジタルカメラの外観構成の例を示す図である。
【図２】ディジタルカメラの他の外観構成の例を示す図である。
【図３】LCDパネルに表示される画面の例を示す図である。
【図４】LCDパネルに表示される他の画面の例を示す図である。
【図５】ディジタルカメラの電気的な構成例を示すブロック図である。
【図６】ディジタルカメラの表示制御処理について説明するフローチャートである。
【図７】メニューの表示例を示す図である。
【図８】メニューの他の表示例を示す図である。
【図９】パーソナルコンピュータの構成例を示すブロック図である。
【符号の説明】
【０１１８】
１  ディジタルカメラ，  ２１  LCDパネル，  ２２  トグルボタン，  ４１  メニュー，  ８３  映像信号生成処理部
【図１】
2007202016.tif 000003
【図２】
2007202016.tif 000004
【図３】
2007202016.tif 000005
【図４】
2007202016.tif 000006
【図５】
2007202016.tif 000007
【図６】
2007202016.tif 000008
【図７】
2007202016.tif 000009
【図８】
2007202016.tif 000010
【図９】
2007202016.tif 000011